(57)【要約】【課題】風の影響も考慮したうえで、立面の仮設足場の自動割付けが容易に行えるようになる施工計画支援システムを提供する。【解決手段】仮設足場の配置計画を支援する施工計画支援システム１である。  そして、仮設足場を配置する現場の諸条件を入力する現場条件入力部５１と、最上部の壁つなぎから仮設足場の上端までの長さである突出高さを考慮したうえで壁つなぎの取付間隔を設定する取付間隔設定部５２と、突出高さが含まれる仮設足場の全体高さから立面の自動割付けを行う自動配置部５３とを備えている。  さらに、自動配置部では、少なくとも複数の基本高さの基本建枠とジャッキベースとを組み合わせることで、全体高さの割り付けが行われる。【選択図】図１
2020197916.tif 000002
【特許請求の範囲】
【請求項１】
仮設足場の配置計画を支援する施工計画支援システムであって、
仮設足場を配置する現場の諸条件を入力する現場条件入力部と、
最上部の壁つなぎから前記仮設足場の上端までの長さである突出高さを考慮したうえで壁つなぎの取付間隔を設定する取付間隔設定部と、
前記突出高さが含まれる前記仮設足場の全体高さから立面の自動割付けを行う自動配置部とを備え、
前記自動配置部では、少なくとも複数の基本高さの基本建枠とジャッキベースとを組み合わせることで前記全体高さを割り付けることを特徴とする施工計画支援システム。
【請求項２】
前記自動配置部で前記全体高さの割り付けが行えない場合に、前記取付間隔設定部で前記突出高さの再調整を行うことを特徴とする請求項１に記載の施工計画支援システム。
【請求項３】
前記自動配置部では、前記全体高さの割り付けに際して、登録された複数の高さの調整建枠の中から選択して組み合わせることを特徴とする請求項１又は２に記載の施工計画支援システム。
【請求項４】
前記突出高さは、建物の上端面から前記仮設足場の上端までの長さであるオフセット値に基づいて設定されることを特徴とする請求項１乃至３のいずれか１項に記載の施工計画支援システム。
【請求項５】
前記自動配置部では、登録された複数の上限高さの前記ジャッキベースの選択が可能であることを特徴とする請求項１乃至４のいずれか１項に記載の施工計画支援システム。
【請求項６】
コンピュータを用いた仮設足場の配置計画を支援する施工計画支援方法であって、
仮設足場を配置する現場の諸条件を入力するステップと、
最上部の壁つなぎから前記仮設足場の上端までの長さである突出高さを考慮したうえで壁つなぎの取付間隔を設定するステップと、
前記突出高さが含まれる前記仮設足場の全体高さから立面の自動割付けを行うステップとを備え、
前記自動割付けでは、少なくとも複数の基本高さの基本建枠とジャッキベースとを組み合わせることで前記全体高さを割り付けることを特徴とする施工計画支援方法。
【発明の詳細な説明】
【技術分野】
【０００１】
本発明は、仮設足場の配置計画を支援する施工計画支援システム及び施工計画支援方法に関するものである。
【背景技術】
【０００２】
特許文献１には、ＢＩＭ（Building Information Modeling）のソフトウェアを利用したＢＩＭ環境における問題点の解決及び協業の支援システムが開示されている。ＢＩＭは、コンピュータ上に３次元の建物などのデジタルモデルを作成し、位置情報や空間情報だけでなく、施工計画や施工管理などに必要となる建設部材の仕様や数量などの情報を属性データとして追加したデータベースを構築して活用するシステムである。ＢＩＭを使用することで、建物の設計及び施工から維持管理までの様々な工程で情報活用を行うことができるようになる。
【０００３】
また、特許文献２，３には、仮設足場の配置計画用の図面を作成したり、見積りを作成したりする際に利用される支援システムが開示されている。例えば特許文献２には、建物の平面図に対して、外壁に沿って既定の長さの踏板を組み合わせた仮設足場を自動配置するに際して、出窓や玄関などを避けた意識的な支柱の配置位置の設定が可能な図面作成装置が開示されている。
【０００４】
一方、特許文献３には、建物の平面図だけでなく立面図に対しても、自動で仮設足場の割り付けが行えるうえに、仮設足場に使用される資材の数量とリース料とリース日数とから、仮設足場の見積書を簡易に作成することができる見積システムが開示されている。
【先行技術文献】
【特許文献】
【０００５】
【特許文献１】特表２０１８−５１７９５２号公報
【特許文献２】特許第３０４６２９１号公報
【特許文献３】特許第５６８８６１２号公報
【発明の概要】
【発明が解決しようとする課題】
【０００６】
しかしながら、特許文献２，３に開示された仮設足場の配置支援に関するシステムにおいては、建物と仮設足場とを繋ぐ部材である壁つなぎに関する検討がなされていない。計画地の地域ごとに環境は大きく変わるため、仮設足場に作用する風の影響（風荷重）を充分に検討する必要があり、検討の結果、仮設足場の全体高さや壁つなぎの取付間隔が変更されることもある。
【０００７】
そこで、本発明は、風の影響も考慮したうえで、立面の仮設足場の自動割付けが容易に行えるようになる施工計画支援システム及び施工計画支援方法を提供することを目的としている。
【課題を解決するための手段】
【０００８】
前記目的を達成するために、本発明の施工計画支援システムは、仮設足場の配置計画を支援する施工計画支援システムであって、仮設足場を配置する現場の諸条件を入力する現場条件入力部と、最上部の壁つなぎから前記仮設足場の上端までの長さである突出高さを考慮したうえで壁つなぎの取付間隔を設定する取付間隔設定部と、前記突出高さが含まれる前記仮設足場の全体高さから立面の自動割付けを行う自動配置部とを備え、前記自動配置部では、少なくとも複数の基本高さの基本建枠とジャッキベースとを組み合わせることで前記全体高さを割り付けることを特徴とする。
【０００９】
ここで、前記自動配置部で前記全体高さの割り付けが行えない場合に、前記取付間隔設定部で前記突出高さの再調整を行う構成とすることができる。また、前記自動配置部では、前記全体高さの割り付けに際して、登録された複数の高さの調整建枠の中から選択して組み合わせる構成とすることができる。
【００１０】
また、前記突出高さは、建物のパラペットの上端面から前記仮設足場の上端までの長さであるオフセット値に基づいて設定される構成とすることができる。さらに、前記自動配置部では、登録された複数の上限高さの前記ジャッキベースの選択が可能であることが好ましい。
【００１１】
さらに、施工計画支援方法の発明は、コンピュータを用いた仮設足場の配置計画を支援する施工計画支援方法であって、仮設足場を配置する現場の諸条件を入力するステップと、最上部の壁つなぎから前記仮設足場の上端までの長さである突出高さを考慮したうえで壁つなぎの取付間隔を設定するステップと、前記突出高さが含まれる前記仮設足場の全体高さから立面の自動割付けを行うステップとを備え、前記自動割付けでは、少なくとも複数の基本高さの基本建枠とジャッキベースとを組み合わせることで前記全体高さを割り付けることを特徴とする。
【発明の効果】
【００１２】
このように構成された本発明の施工計画支援システムでは、最上部の壁つなぎから仮設足場の上端までの長さである突出高さを考慮したうえで壁つなぎの取付間隔を設定する取付間隔設定部と、その突出高さが含まれる仮設足場の全体高さから立面の自動割付けを行う自動配置部とを備えている。そして、自動配置部では、少なくとも複数の基本高さの基本建枠とジャッキベースとを組み合わせることで全体高さの割り付けを行う。
【００１３】
このように、最上部の壁つなぎから仮設足場の上端までの長さである突出高さを考慮して壁つなぎの取付間隔を設定するため、計画地の地域ごとに環境が変わることで割増がされる風の影響も考慮したうえで、立面の仮設足場の自動割付けが容易に行えるようになる。
【００１４】
ここで、自動配置部で全体高さの割り付けが行えない場合には、壁つなぎの取付間隔を設定する取付間隔設定部で突出高さの再調整を行うことで、自動割付けが行えるようになる。また、登録された複数の高さの調整建枠を組み込んで自動割付けを行わせることもできる。
【００１５】
さらに、建物のパラペットなどの上端面から仮設足場の上端までの長さであるオフセット値に基づいて突出高さを設定するのであれば、操作者にとって調整量がわかりやすい。また、複数の上限高さのジャッキベースの選択が可能であれば、現場の状況に適した配置計画を作成することができるようになる。
【００１６】
そして、施工計画支援方法の発明では、最上部の壁つなぎから仮設足場の上端までの長さである突出高さを考慮したうえで壁つなぎの取付間隔を設定し、その後のステップで突出高さが含まれる仮設足場の全体高さから立面の自動割付けを行う。このように風の影響を考慮して壁つなぎの取付間隔を決めてから立面の仮設足場の自動割付けを行うため、手戻りすることなく施工計画を作成することができるようになる。
【図面の簡単な説明】
【００１７】
【図１】本発明の実施の形態の施工計画支援システムの構成を説明するブロック図である。
【図２】本発明の実施の形態の施工計画支援システムの壁つなぎの検討に関する処理の流れを説明するフローチャートである。
【図３】本発明の実施の形態の施工計画支援システムの自動割付けに関する処理の流れを説明するフローチャートである。
【図４】外部足場を構成する基本建枠を説明する図であって、（ａ）は基本建枠の斜視図、（ｂ）は基本建枠より横幅の狭い役物建枠の斜視図である。
【図５】建物の平面図に対して外部足場を割り付けた状態を示した説明図である。
【図６】建物の立面図に対して外部足場を割り付けた状態を示した説明図である。
【図７】３次元で外部足場が配置された状態を例示した説明図である。
【発明を実施するための形態】
【００１８】
以下、本発明の実施の形態について図面を参照して説明する。
本実施の形態の施工計画支援システム１は、ＢＩＭ（Building Information Modeling）のソフトウェアを基盤にして構成される仮設足場の配置計画を支援するためのシステムである。
【００１９】
図１に、本実施の形態の施工計画支援システム１の構成を説明するブロック図を示した。本実施の形態の施工計画支援システム１は、キーボードやマウスなどの入力部２と、演算処理や制御指示を行うための演算処理部５と、各種モデルデータや仕様データや環境データなどが記憶されたデータベース部４と、表示部となるディスプレイ３とによって主に構成される。
【００２０】
入力部２は、演算処理部５に指示やデータなどを入力するための手段で、キーボード、マウス、入力ペン、入力データが記録された記憶媒体などが該当する。ディスプレイ３は、演算処理部５の制御によって、各種メニューや作業画面や各種デジタルモデルなどをリアルタイムに表示させるためのコンピュータに接続されるモニタである。
【００２１】
データベース部４は、複数のデータベースによって構成されている。本実施の形態では、足場データベース４１と現場データベース４２とについて説明する。足場データベース４１には、仮設足場を配置するために使用される各種建枠の種類、それぞれの形状、ジャッキベースなどの建枠以外の部品の情報などが記録されている。
【００２２】
建枠には、最も多く使用される基本高さと基本横幅（Ｌ１）の標準的な建枠となる基本建枠６１（図４（ａ）参照）、基本建枠６１より狭い横幅（Ｌ２）の基本建枠である役物建枠６１Ａ（図４（ｂ）参照）、基本建枠（６１，６１Ａ）より高さの低い調整建枠６２（図６参照）などがある。また、ジャッキベース６３（図６参照）には、標準的な上限高さのジャッキベースと、それよりも上限高さが高く調整範囲が長いロングジャッキベースなどがある。
【００２３】
現場データベース４２には、施工が行われる計画地の環境などに関するデータ、建物の設計図面データ、仮設足場や仮囲いや山留などの仮設（現場施設物）に関するデータなどが、３次元データで記録される。
【００２４】
演算処理部５は、コンピュータとそれにインストールされたソフトウェアとによって実現される。演算処理部５は、現場条件入力部５１と、取付間隔設定部５２と、自動配置部５３と、自動集計部５４とを備えている。
【００２５】
現場条件入力部５１は、現場がある地域ごとに異なる要因の条件設定や、仮設計画上の条件設定に関する入力を行うための機能である。地域ごとに異なる要因には、その地域の基準風速、台風時の割増係数、地域区分（I海岸・海上、II草原・田園、III郊外・森、IV一般市街地、V大都市市街地）、地上（高さＺ）における瞬間風速分布係数、近接する高層建築物による風速割増係数、基本風力係数などがある。
【００２６】
また、仮設計画上の条件には、仮設足場となる外部足場のシート又はネットの充実率、外部足場のシート又はネットの高さ、外部足場のシート又はネットの幅、外部足場のシート又はネットの縦横比による形状補正係数、建築物に併設された足場の設置位置による補正係数、壁つなぎの許容設計荷重などがある。
【００２７】
取付間隔設定部５２は、壁つなぎの取付間隔を設定する際に機能する。壁つなぎの取付間隔は、デフォルト値として3600mmを設定しておくことができる。このデフォルト値は、そのまま使用できる場合もあるし、後述するように最上部の壁つなぎから仮設足場の上端までの長さである突出高さとの関係でそのまま使用できない場合もある。このため、取付間隔は、任意の値に変更することができる。
【００２８】
自動配置部５３は、基本建枠６１や調整建枠６２やジャッキベース６３を組み合わせて立面の自動割付けを行う際に機能する。自動割付けされた結果は、ディスプレイ３に表示されるので、操作者は視覚によって容易に確認することができる（図７参照）。
【００２９】
自動集計部５４は、仮設足場に使用される部材の数量、総重量、費用（見積）などを集計する際に機能する。仮設足場となる外部足場６に割り付けられた基本建枠６１や調整建枠６２やジャッキベース６３などの数量は、自動集計部５４によって集計されて、ディスプレイ３などに出力される。
【００３０】
以下では、本実施の形態の施工計画支援システム１の具体的な処理について、図２−図７を参照しながら説明する。図２及び図３は、仮設足場となる外部足場６の立面の配置を行なう際の処理の流れを説明するフローチャートである。
【００３１】
立面の配置について説明する前に、平面の配置について図５を参照しながら説明する。図５は、建物Ｂの平面図に対して外部足場６を割り付けた状態を説明するための平面図である。
【００３２】
外部足場６は、建物Ｂの外壁から離隔した位置に、外壁面と略平行となるように建物Ｂを囲むように配置される。外部足場６は、基本的には、平面視で一定の幅（縦幅Ｍ）と長さ（横幅Ｌ１）の略長方形の基本建枠６１（図４（ａ））を、横方向に連続して並べることで構成される。
【００３３】
しかしながら、建物Ｂの全長によっては、基本建枠６１だけでは割り付けが難しい場合があるため、基本建枠６１よりも長さ（横幅Ｌ２）が短い（縦幅Ｍは同じ）役物建枠６１Ａ（図４（ｂ））が使用されることがある。この役物建枠６１Ａには、複数の長さ（横幅）の設定がある。
【００３４】
このように基本建枠６１や役物建枠６１Ａを使って、建物Ｂの平面図に対して、外部足場６の自動割付けを自動配置部５３の機能で行う。以下では、図５を参照しながら、建物ＢのＸ１方向とＸ２方向の外部足場６の自動割付けについて説明する。ここで、建物ＢのＸ１方向の全長をＰ１、Ｘ２方向の全長をＰ２とする。
【００３５】
Ｘ１方向の自動割付けを行う際には、最初に外壁からの離隔ｃを設定する。そして、建物ＢのＸ１方向の全長Ｐ１と、設定した離隔ｃと、基本建枠６１の横幅Ｌ１及び配置数ｎ１と、複数の設定の中から選択された役物建枠６１Ａの横幅Ｌ２及び配置数ｎ２との関係から端数ｂを算出する。以下に、関係式を示す。
Ｘ１方向  ：  Ｐ１＋２ｃ＝（Ｌ１×ｎ１）＋（Ｌ２×ｎ２）＋ｂ  （ｂは端数）
【００３６】
続いて、上記関係式から、両側に均等に按分される離隔ｃの算定を行う。
Ｘ１方向  ：  ｃ＝｛（Ｌ１×ｎ１）＋（Ｌ２×ｎ２）＋ｂ−Ｐ１｝／２
そして、この離隔ｃが、外部足場６の離隔として許容される範囲内であればそのままＸ１方向の自動割付けを行い、許容離隔範囲外であれば、最初に設定した離隔ｃを変更して、許容離隔範囲内に入るまで再計算を繰り返す。
【００３７】
このようにしてＸ１方向の自動割付けを行ったのちに、同様の方法によって、建物ＢのＸ２方向の外部足場６の自動割付けを行っていく。ここで、外部足場６の隅角部においては、Ｘ１方向とＸ２方向の勝ち負けが生じる。例えば図５の建物Ｂの右下の隅角部では、Ｘ２方向が勝ちでＸ１方向が負けとなっている。そのため、Ｘ２方向の自動割付けを行う際には、基本建枠６１の縦幅Ｍ分（図４参照）の調整を行う。
【００３８】
すなわちＸ２方向においても、外壁からの離隔ａを設定し、建物ＢのＸ２方向の全長Ｐ２と、設定した離隔ａと、基本建枠６１の横幅Ｌ１及び配置数ｎ３と、複数の設定の中から選択された役物建枠６１Ａの横幅Ｌ２及び配置数ｎ４と、基本建枠６１（６１Ａ）の縦幅Ｍとの関係から端数ｚを算出する。以下に、関係式を示す。
Ｘ２方向  ：  Ｐ２＋２ａ＋２Ｍ＝（Ｌ１×ｎ３）＋（Ｌ２×ｎ４）＋ｚ  （ｚは端数）
Ｘ２方向  ：  ａ＝｛（Ｌ１×ｎ３）＋（Ｌ２×ｎ４）＋ｚ−Ｐ２−２Ｍ｝／２
このようにして、建物Ｂの平面的な外部足場６の配置が完了したのちに、建物Ｂの立面的な外部足場６の配置処理に移行することになる。
【００３９】
建物Ｂの立面に外部足場６を配置する際には、図２に示すように、まずステップＳ１で、建物Ｂが建設される現場の地域に関する条件設定を行う。外部足場６は、風の影響（風荷重）を考慮するために、地域によって異なる風に関する条件設定を現場条件入力部５１によって行う。
【００４０】
続いてステップＳ２では、現場の仮設計画に関する条件設定を行う。すなわち現場によって、外部足場６に使用するシートやネットの種類が異なることがあるが、シート等の充実率や形状によって風の影響（風荷重）が異なることになるため、現場に適した条件の設定を現場条件入力部５１によって行う。
【００４１】
また図６に示すように、外部足場６の壁つなぎＢ３は、建物Ｂの躯体などに端部を固定することになるが、壁つなぎＢ３の１箇所あたりが負担する風荷重は壁つなぎＢ３の設計許容荷重を超えることはできないので、その許容値を設定する。
【００４２】
続いてステップＳ３からは、壁つなぎＢ３の取付間隔の設定を取付間隔設定部５２によって行う。ここで、壁つなぎＢ３の垂直方向の取付間隔をＬｙ、水平方向の取付間隔をＬｘとする。垂直方向の取付間隔Ｌｙは、現場データベース４２から自動で読み込まれる建物Ｂの階高に設定される。すなわち、各階の高さの範囲においては、建物構造体の梁位置に壁つなぎＢ３を固定するのが好ましいので、垂直方向の取付間隔Ｌｙは階高を基準に設定される。
【００４３】
一方、水平方向の取付間隔Ｌｘは、このステップＳ３では、デフォルト値（3600mm）のままにしておくことも、任意の数値に置き換えることもできる。
そして、ステップＳ４では、設定された取付間隔（Ｌｙ，Ｌｘ）で壁つなぎＢ３を配置した場合に、各壁つなぎＢ３に生じる引張力が許容設計荷重の範囲内に収まっているか否かを自動計算により確認する。
【００４４】
この自動計算によって、壁つなぎＢ３に生じる引張力が許容設計荷重を超えていた場合（ステップＳ４２）は、ステップＳ３に戻って水平方向の取付間隔Ｌｘの値が狭くなる方向の変更を行う。
【００４５】
これに対して、壁つなぎＢ３に生じる引張力が許容設計荷重の範囲内であった場合（ステップＳ４１）は、ステップＳ５に移行して最上部の壁つなぎＢ３の検討を行う。図６は、建物Ｂの立面図に対して外部足場６が割り付けられた状態を示している。最上部の壁つなぎＢ３は、建物Ｂの最も高い位置に取り付けられた壁つなぎを指す。
【００４６】
最上部の壁つなぎＢ３は、例えば建物Ｂの最上階梁Ｂ２の位置に固定される。ここで、最上部の壁つなぎＢ３の位置から外部足場６の上端６ａまでの長さを突出高さＨ１とする。この突出高さＨ１の最下端位置として取り得る高さは、鉄骨造の場合は最上階梁Ｂ２の下端面の高さとなり、ＲＣ造の場合は最上階梁Ｂ２の中央の高さとなる。そして、最上部の壁つなぎＢ３は、下層階の壁つなぎＢ３と異なり、突出高さＨ１の範囲の片持ち部分の風荷重を負担することになるため、許容設計荷重に対する風荷重の条件が最も厳しくなる。
【００４７】
一方、建物ＢのパラペットＢ１の上端面（天端）から外部足場６の上端６ａまでの長さをオフセット値ｈとすると、突出高さＨ１は、鉄骨造であれば最上階梁Ｂ２の下端面（ＲＣ造であれば最上階梁Ｂ２の中央）からパラペットＢ１の天端までの長さに、オフセット値ｈを加えた範囲となる（ステップＳ５）。
【００４８】
そしてステップＳ６では、最上部の壁つなぎＢ３の水平方向の取付間隔Ｌｘを設定する。上述したように、最上部の壁つなぎＢ３は突出高さＨ１の範囲が片持ちとなり許容設計荷重に対する風荷重の条件が最も厳しくなるので、次のステップで自動計算による確認を行う。
【００４９】
ステップＳ７では、ステップＳ６で設定された取付間隔Ｌｘ（デフォルト値（3600mm）又は任意の数値）で最上部の壁つなぎＢ３を配置した場合に、壁つなぎＢ３に生じる引張力が許容設計荷重の範囲内に収まっているか否かを自動計算により確認する。
【００５０】
この自動計算によって、壁つなぎＢ３に生じる引張力が許容設計荷重を超えていた場合（ステップＳ７２）は、ステップＳ６に戻って最上部の取付間隔Ｌｘの値が狭くなる方向の変更を行う。他方、壁つなぎＢ３に生じる引張力が許容設計荷重の範囲内であった場合（ステップＳ７１）は、図３に示した立面の自動割付けを行う処理に移行する。
【００５１】
図３は、本実施の形態の施工計画支援システム１の自動割付けに関する処理の流れを説明するフローチャートである。ステップＳ１１では、建物Ｂの全体高さＨの情報を設定する。
【００５２】
図６に示すように、全体高さＨは、建物Ｂの基盤Ｂ４からパラペットＢ１の天端までの高さに、ステップＳ５で設定したオフセット値ｈを加えた値となる。ステップＳ１２では、この全体高さＨに基づいて、立面の自動割付けを行う。
【００５３】
立面の自動割付けは、複数の基本建枠６１と、必要に応じて１段で使用される調整建枠６２と、ジャッキベース６３とを組み合わせて、自動配置部５３によって自動で行われる。ここで、基本建枠６１の高さは、基本高さＷ１（例えば1725mm）が決まっている。また、調整建枠６２は、1219mm,914mm,490mmの３種類の高さＷ２の中から選択することになる。
【００５４】
さらに、ジャッキベース６３によって、38mmから301mmの範囲の任意の高さＷ３で、高さ方向の端数を調整することができる。図６は、基盤Ｂ４上にジャッキベース６３が設置され、そのジャッキベース６３の上端に１段の調整建枠６２が接続され、さらにその上に８段の基本建枠６１，・・・が積み上げられた割付け状態を示している。
【００５５】
このように複数の基本建枠６１，・・・と調整建枠６２と通常のジャッキベース６３との組み合わせによって、全体高さＨの自動割付けが行われた場合（ステップＳ１４）は、そのまま立面の足場の配置として採用できる（ステップＳ１７）。
【００５６】
これに対して、全体高さＨと自動割付け結果とを一致させることができなかった場合（ステップＳ１３）は、ステップＳ３まで戻って、壁つなぎＢ３の取付間隔の設定からやり直すことができる。
【００５７】
また別の選択肢として、現場によっては、ロングジャッキベースの使用の可否を検討することができる（ステップＳ１５）。ロングジャッキベースが使用できない現場（ステップＳ１５１）では、ステップＳ３まで戻って壁つなぎＢ３の取付間隔の設定からやり直す。
【００５８】
他方、ロングジャッキベースが使用できる現場（ステップＳ１５２）であれば、ロングジャッキベースの調整範囲（38mmから462mmの範囲）で、自動割付けができるか否かを検討する（ステップＳ１６）。
【００５９】
ロングジャッキベースでも調整できない場合は、ステップＳ３まで戻って壁つなぎＢ３の取付間隔の設定からやり直すことになり、ロングジャッキベースで調整できた場合は、そのまま立面の足場の配置として採用する（ステップＳ１７）。
【００６０】
以上のようにして外部足場６の平面配置と立面配置が決定すると、図７に例示したような３次元の外部足場６の配置状況をディスプレイ３に表示できるようになる。さらに、外部足場６の割付けが決定すると、使用される基本建枠６１、調整建枠６２、ジャッキベース６３、シート又はネットなどの数量を、自動集計部５４で自動集計して数量表として出力させることができる（ステップＳ１８）。また自動集計部５４では、集計された数量に基づいて積算を行わせることもできる。
【００６１】
このように構成された本実施の形態の施工計画支援システム１では、最上部の壁つなぎＢ３から外部足場６の上端６ａまでの長さである突出高さＨ１を考慮したうえで壁つなぎＢ３の取付間隔を設定する取付間隔設定部５２と、その突出高さＨ１が含まれる外部足場６の全体高さＨから立面の自動割付けを行う自動配置部５３とを備えている。
【００６２】
そして、自動配置部５３では、複数の基本高さＷ１の基本建枠６１と調整建枠６２とジャッキベース６３とを組み合わせることで全体高さＨの割り付けを行う。なお、調整建枠６２は、必要に応じて配置すればよいので、複数の基本建枠６１，・・・とジャッキベース６３のみで、全体高さＨが割り付けられる場合もある。
【００６３】
このように、最上部の壁つなぎＢ３から外部足場６の上端６ａまでの長さである突出高さＨ１を考慮して壁つなぎＢ３の取付間隔を設定するため、計画地の地域ごとに異なる風の影響も考慮したうえで、立面の外部足場６の自動割付けが容易に行えるようになる。
【００６４】
ここで、自動配置部５３で全体高さＨの割り付けが行えない場合には、取付間隔設定部５２で突出高さＨ１の再調整を行うことで、自動割付けが行えるようになる。また、登録された複数（例えば３種類）の高さの調整建枠６２を組み込んで自動割付けを行わせることもできる。
【００６５】
さらに、建物ＢのパラペットＢ１の天端から外部足場６の上端６ａまでの長さであるオフセット値ｈに基づいて突出高さＨ１を設定するのであれば、操作者にとって調整量がわかりやすい。また、ロングジャッキベースが使用できる場合など、複数の上限高さのジャッキベース６３の選択が可能であれば、現場の状況に適した配置計画を作成することができるようになる。
【００６６】
そして、本実施の形態の施工計画支援方法であれば、最上部の壁つなぎＢ３から外部足場６の上端６ａまでの長さである突出高さＨ１を考慮したうえで壁つなぎＢ３の取付間隔を設定してから、その後のステップで突出高さＨ１が含まれる外部足場６の全体高さＨから立面の自動割付けを行う。このように風荷重を考慮して壁つなぎＢ３の取付間隔を決めてから立面の外部足場６の自動割付けを行うため、手戻りすることなく施工計画を作成することができるようになる。
【００６７】
以上、図面を参照して、本発明の実施の形態を詳述してきたが、具体的な構成は、この実施の形態に限らず、本発明の要旨を逸脱しない程度の設計的変更は、本発明に含まれる。
例えば前記実施の形態では、建物ＢのパラペットＢ１の天端から外部足場６の上端６ａまでの長さをオフセット値ｈとする場合について説明したが、これに限定されるものではなく、例えば施工中の建物の仮設足場の計画を行う場合は、施工中の建物の最上部の上端面から仮設足場の上端までの長さをオフセット値ｈとすることができる。
【符号の説明】
【００６８】
１        ：施工計画支援システム
５        ：演算処理部
５１      ：現場条件入力部
５２      ：取付間隔設定部
５３      ：自動配置部
６        ：外部足場（仮設足場）
６ａ      ：上端
６１      ：基本建枠
６１Ａ    ：役物建枠（基本建枠）
６２      ：調整建枠
６３      ：ジャッキベース
Ｂ        ：建物
Ｂ１      ：パラペット（建物の上端面）
Ｂ３      ：壁つなぎ
Ｈ        ：全体高さ
Ｌｘ      ：取付間隔
Ｗ１      ：基本高さ
ｈ        ：オフセット値
【図１】
2020197916.tif 000003
【図２】
2020197916.tif 000004
【図３】
2020197916.tif 000005
【図４】
2020197916.tif 000006
【図５】
2020197916.tif 000007
【図６】
2020197916.tif 000008
【図７】
2020197916.tif 000009